(57)【特許請求の範囲】
【請求項１】
上面部とその上面部に各々つづく両側面部を有する鋼板製屋根材又は鋼板製壁材の表面に、自然石粒等を接着する方法において、
前記屋根材又は壁材を各側面部で起立させ、上面部が上向き状態のままで、前記上面部及び両側面部の表面に接着剤を塗布すること、前記屋根材又は壁材の側面部から所定間隔をあけた外方位置又は側面部表面の所望位置に、板状のガード体を垂直又は傾斜状態で配置させて仕切り、当該ガード体と側面部との間で自然石粒が集合可能な集合スペースを形成すること、前記集合スペースを含むガード体の内方に上方から自然石粒を落下させ、屋根材又は壁材の上面部及び側面部の表面に前記自然石粒を接着することを特徴とする、屋根材又は壁材への自然石粒等の接着方法。
【請求項２】
上面部とその上面部に各々つづく両側面部を有する鋼板製屋根材又は鋼板製壁材の表面に、自然石粒等を接着する方法において、
ａ）コンベアーライン上で、前記屋根材又は壁材を各側面部で起立させ、上面部が上向き状態のままで長手方向に載置し、前記上面部及び両側面部の表面に接着剤を塗布すること、
ｂ）コンベアーの上方を跨る架台にホッパーと板状のガード体を設置し、そのガード体は下向きの垂直又は傾斜状態を維持し、同ガード体の下端部をコンベアーに載置される前記屋根材又は壁材の側面部から所定間隔をあけた外方位置又は側面部表面の所望位置に臨ませ、自然石粒が集合可能な集合スペースを形成すること、
ｃ）前記屋根材又は壁材を長手方向でコンベアーに載置して移動させながら、前記ホッパーから自然石粒を落下させて屋根材の上面部に当該自然石粒を接着させると共に、ホッパーから自然石粒を前記ガード体の内側面に落下させ、当該ガード体を伝って前記集合スペースに自然石粒を集合させつつ屋根材又は壁材の側面部に当該自然石粒を接着させること、
をそれぞれ特徴とする屋根材又は壁材への自然石粒等の接着方法。
【請求項３】
上面部とその上面部に各々つづく両側面部を有する鋼板製屋根材又は鋼板製壁材の表面に、自然石粒等を接着する方法において、
ａ）コンベアーライン上で、前記屋根材又は壁材を各側面部で起立させ、上面部が上向き状態のままで長手方向に載置し、前記上面部及び左右の側面部の表面に接着剤を塗布すること、
ｂ）コンベアーの上方を跨る架台にホッパーと固定式及び可動式のガード体を設置し、前記固定式ガード体は、下向き状態を維持し且つコンベアーに載置される前記屋根材又は壁材の一方の側面部の外方に所定間隔をあけて配置され、自然石粒が集合可能な集合スペースを形成すると共に、可動式ガード体は、傾斜角度が可変自在に構成し、その下端部を屋根材又は壁材の他方の側面部表面の所望位置に臨ませ、自然石粒が滑落して集合可能な集合スペースを形成すること、
ｃ）前記屋根材又は壁材を長手方向でコンベアーに載置して移動させながら、前記ホッパーから自然石粒を落下させて屋根材又は壁材の上面部に当該自然石粒を接着させると共に、ホッパーから自然石粒を前記固定式又は可動式のガード体の各内側面に落下させ、固定式のガード体を伝って集合スペースに自然石粒を落とし込んで堆積させつつ屋根材又は壁材の一側面部の全範囲に自然石粒を接着させ、可動式のガード体は他側面部の形状に応じて傾斜角度を変えた上で、集合スペースに滑落する自然石粒を当該他側面部の所望範囲に接着させること、
をそれぞれ特徴とする屋根材又は壁材への自然石粒等の接着方法。
【請求項４】
固定式のガード体は、垂直な垂直面部と同垂直面部の上方外方に折曲して連続する傾斜面部とで形成し、自然石粒は、まず当該ガード体の傾斜面部に落下させて同傾斜面部を滑落させ、つづいて前記垂直面部で仕切られた集合スペースに落とし込んで堆積させつつ屋根材又は壁材の側面部に接着させることを特徴とする、請求項３に記載した屋根材又は壁材への自然石粒等の接着方法。
【請求項５】
ガード体は、コンベアー自体に取り付けて、屋根材又は壁材の側面部に自然石粒を接着することを特徴とする、請求項２〜４のいずれか１項に記載した屋根材又は壁材への自然石粒等の接着方法。
【請求項６】
網状の均し部材を、ホッパーの下部に所定高さを維持して設置し、コンベアーで移動する屋根材又は壁材の上面部にホッパーから落下した自然石粒の表面を、前記均し部材で押圧しながら均すことを特徴とする、請求項２又は３又は５に記載した屋根材又は壁材への自然石粒等の接着方法。
【請求項７】
自然石粒の代わりに合成樹脂製のリシンを、屋根材又は壁材の側面部と上面部に接着することを特徴とする、請求項１〜６のいずれか１項に記載した屋根材又は壁材への自然石粒等の接着方法。
【請求項８】
屋根材又は壁材の両側面部に、ビス取り付け用の穴をそれぞれ所定間隔をあけて予め穿設しておくことを特徴とする、請求項１〜７のいずれか１項に記載した屋根材又は壁材への自然石粒等の接着方法。
【発明の詳細な説明】
【０００１】
【発明の属する技術分野】
本発明は、屋根材又は壁材への自然石粒等の接着方法の技術分野に係り、とりわけ鋼板で折曲形成された屋根材の側面部及び上面部に、化粧用の粒状の自然石や合成樹脂製リシンを接着する方法に関する。
【０００２】
【従来の技術】
天然石調に化粧して美観的に優れた意匠外観を形成すべく、所望形状に折り曲げた鋼板の表面に、自然石や合成樹脂より成る粒状体を固定化する方法は公知に属する（特開平１１−２２１１６号公報、特開２０００−２８１９７６号公報参照）。
【０００３】
また、コンベアーライン上で屋根材に自然石等の粒状体を接着等により固定化する場合、屋根材の上面部には、上方のホッパーから粒状体を落下させるだけで接着させることができる。しかし、屋根材の左右の側面部に粒状体を接着する場合、左右の側面部は垂直又は傾斜状態で起立し、しかもコンベアーの左右両端部近くに位置するため、前記上方のホッパーから粒状体を落下しても、思うように側面部の全面に亘ってムラなく接着させることが出来ない。
【０００４】
そのため、上面部への粒状体の接着が完了したら、コンベアー上で、左右の側面部で起立している前記屋根材を９０°回転させて起こし、左右いずれかの側面部が上向きとなるようにし、倒れないように支えながら、上向きとなった側面部へ上方のホッパーから粒状体を落下させて接着している。左右いずれかの側面部への粒状体の接着が完了したら、コンベアー上で再度屋根材を１８０°回転させて支持し、反対側の側面部が上向きとなるようにし、その上向きとなった他側面部へ再度上方のホッパーから粒状体を落下して接着する方法が行われている。
【０００５】
【発明が解決しようとする課題】
コンベアーライン上で屋根材を回転させ支持しながら、左右それぞれの側面部に自然石等の粒状体を固定化する従来の方法は、作業者に煩わしい作業が強いられ作業性に劣る。しかも、そのようにして屋根材を回転させながら側面部に上方から粒状体を落下させても、その落下する位置決めや落下量の調整が困難で精度に欠けるといった問題もある。
【０００６】
したがって、本発明の目的は、鋼板製の屋根材や壁材を両側面部で起立させ、上面部が上向き状態のままで、当該屋根材等の上面部はもとより各側面部に、化粧用の自然石粒等を簡便かつ確実に接着できて作業性、合理性に優れ、高品質な屋根材又は壁材への自然石粒等の接着方法を提供することにある。
【０００７】
【課題を解決するための手段】
前記課題を解決するための手段として、請求項１記載の発明の屋根材又は壁材への自然石粒等の接着方法は、上面部１０とその上面部１０に各々つづく両側面部１１、１２を有する鋼板製屋根材１又は鋼板製壁材の表面に、自然石粒７等を接着する方法において、
前記屋根材１又は壁材を各側面部１１、１２で起立させ、上面部１０が上向き状態のままで、前記上面部１及び両側面部１１、１２の表面に接着剤８を塗布すること、前記屋根材１又は壁材の側面部１１、１２から所定間隔をあけた外方位置又は側面部表面の所望位置に、板状のガード体５（６）を垂直又は傾斜状態で配置させて仕切り、当該ガード体５（６）と側面部１１、１２との間で自然石粒７が集合可能な集合スペースＳ（Ｓ’）を形成すること、前記集合スペースＳ（Ｓ’）を含むガード体５（６）の内方に上方から自然石粒７を落下させ、屋根材１又は壁材の上面部１０及び側面部１１、１２の表面に前記自然石粒７を接着することを特徴とする。
【０００８】
請求項２記載の発明の屋根材又は壁材への自然石粒等の接着方法は、
上面部１０とその上面部１０に各々つづく両側面部１１、１２を有する鋼板製屋根材１又は鋼板製壁材の表面に、自然石粒７等を接着する方法において、
ａ）コンベアーライン上で、前記屋根材１又は壁材を各側面部１１、１２で起立させ、上面部１０が上向き状態のままで長手方向に載置し、前記上面部１０及び両側面部１１、１２の表面に接着剤８を塗布すること、
ｂ）コンベアー２の上方を跨る架台３にホッパー４と板状のガード体５、６を設置し、そのガード体５、６は下向きの垂直又は傾斜状態を維持し、同ガード体５、６の下端部５０、６０をコンベアー２に載置される前記屋根材１又は壁材の側面部１２から所定間隔をあけた外方位置又は側面部１１の表面の所望位置に臨ませ、自然石粒７が集合可能な集合スペースＳ、Ｓ’を形成すること、
ｃ）前記屋根材１又は壁材を長手方向でコンベアー２に載置して移動させながら、前記ホッパー４から自然石粒７を落下させて屋根材１の上面部１０に当該自然石粒７を接着させると共に、ホッパー４から自然石粒７を前記ガード体５、６の内側面に落下させ、当該ガード体５、６を伝って前記集合スペースＳ、Ｓ’に自然石粒７を集合させつつ屋根材１又は壁材の側面部１２、１１に当該自然石粒７を接着させることをそれぞれ特徴とする。
【０００９】
請求項３記載の発明の屋根材又は壁材への自然石粒等の接着方法は、
上面部１０とその上面部１０に各々つづく両側面部１１、１２を有する鋼板製屋根材１又は鋼板製壁材の表面に、自然石粒７等を接着する方法において、
ａ）コンベアーライン上で、前記屋根材１又は壁材を各側面部１１、１２で起立させ、上面部１０が上向き状態のままで長手方向に載置し、前記上面部１０及び側面部１１、１２の表面に接着剤８を塗布すること、
ｂ）コンベアー２の上方を跨る架台３にホッパー４と固定式及び可動式のガード体５、６を設置し、前記固定式ガード体５は、下向き状態を維持し且つコンベアー２に載置される前記屋根材１又は壁材の一方の側面部１２の外方に所定間隔をあけて配置され、自然石粒７が集合可能な集合スペースＳを形成すると共に、可動式ガード体６は、傾斜角度が可変自在に構成し、その下端部６０を屋根材１又は壁材の他方の側面部１１の表面の所望位置に臨ませ、自然石粒７が滑落して集合可能な集合スペースＳ’を形成すること、
ｃ）前記屋根材１又は壁材を長手方向でコンベアー２に載置して移動させながら、前記ホッパー４から自然石粒７を落下させて屋根材１又は壁材の上面部１０に当該自然石粒７を接着させると共に、ホッパー４から自然石粒７を前記固定式及び可動式のガード体５、６の各内側面に落下させ、固定式のガード体５を伝って集合スペースＳに自然石粒７を落とし込んで堆積させつつ屋根材１又は壁材の一側面部１２の全範囲に自然石粒７を接着させ、可動式のガード体６は他側面部１１の形状に応じて傾斜角度を変えた上で、集合スペースＳ’に滑落する自然石粒７を当該他側面部１１の所望範囲に接着させることをそれぞれ特徴とする。
【００１０】
請求項４記載の発明の屋根材又は壁材への自然石粒等の接着方法は、前記固定式のガード体５は、垂直な垂直面部５１と同垂直面部５１の上方外方に折曲して連続する傾斜面部５２とで形成し、自然石粒７は、まず当該ガード体５の傾斜面部５２に落下させて同傾斜面部５２を滑落させ、つづいて前記垂直面部５１で仕切られた集合スペースＳに落とし込んで堆積させつつ屋根材１又は壁材の側面部１２に接着させることを特徴とする。
【００１１】
請求項５記載の発明の屋根材又は壁材への自然石粒等の接着方法は、前記ガード体５、６は、コンベアー２自体に取り付けて、屋根材１又は壁材の側面部１１、１２に自然石粒７を接着することを特徴とする。
【００１２】
請求項６記載の発明の屋根材又は壁材への自然石粒等の接着方法は、前記網状の均し部材９を、ホッパー４の下部に所定高さを維持して設置し、コンベアー２で移動する屋根材１又は壁材の上面部１０にホッパー４から落下した自然石粒７の表面を、前記均し部材９で押圧しながら均すことを特徴とする。
【００１３】
請求項７記載の発明の屋根材又は壁材への自然石粒等の接着方法は、前記自然石粒７の代わりに合成樹脂製のリシンを、屋根材１又は壁材の側面部１１、１２と上面部１０に接着することを特徴とする。
【００１４】
請求項８記載の発明の屋根材又は壁材への自然石粒等の接着方法は、前記屋根材１又は壁材の両側面部１１、１２に、ビス取り付け用の穴１３…をそれぞれ所定間隔をあけて予め穿設しておくことを特徴とする。
【００１５】
【発明の実施の形態】
本発明の屋根材又は壁材への自然石粒等の接着方法は、上面部とその上面部に各々つづく両側面部を有する鋼板製の屋根材や壁材の表面に、化粧用に供する粒状の自然石等を簡便かつ確実に接着する際に好適なものである。なお、以下の実施形態では、当該鋼板製屋根材へ自然石粒を接着する場合を説明するが、被接着体はこれに限らず、例えば、請求項７記載の発明のように、合成樹脂製のリシンを接着することも可能である（図示は省略）。
【００１６】
以下、請求項１〜８に係る発明の屋根材又は壁材への自然石粒等の接着方法の好適な実施形態を、屋根材として使用する場合につき説明する。壁材として使用する場合は、同様の形態で実施できるので説明を省略する。
【００１７】
本実施形態は、ベルトコンベアーを使用してライン上で一連の作業として行うものである。但し、これに限らず、例えばベルトコンベアーを使用しないで地上レベルで施工することも可能である（請求項１参照）。
【００１８】
まず、厚さ約４ｍｍの鋼板をプレス成型して所望形状の屋根材１を形成する。一般的にはフラットな上面部１０（長手方向の長さが約１３０ｃｍ）とその左右両端部を折曲して上面部１０に各々つづく左側面部１１と右側面部１２（高さ約２０ｍｍ）を形成する。左側面部１１と右側面部１２の形状は限定されないが、例えば図２〜図４に例示したように、右側面部１２は垂直面に形成し、左側面部１１は緩やかな傾斜面として形成するのが通常である（請求項２、３参照）。
【００１９】
また、当該右側面部１２と左側面部１１の下端部には、図４に示したように、ビス取り付け用の穴１３（φ＝４ｍｍ）をそれぞれ均等間隔をあけて予め穿設しておくことが望ましい（請求項８）。同図示例では各側面部１１、１２の下端から１０ｍｍ上の位置で、且つ隣り同士約３０ｃｍの間隔で５箇所ずつビス取り付け用の穴１３…が穿設されている。
【００２０】
一方、図１に簡略化して示したように、ベルトコンベアー２の上方を跨る架台３に、自然石粒７を収容し所望量を落下可能なホッパー４を設置する（請求項２、３参照）。このホッパー４は、１つのライン上に２台設置して実施するのが好適である。最初のホッパー４は、粒径が２ｍｍぐらいの大き目の自然石粒７を落下し、２番目のホッパー４’は、粒径が１ｍｍぐらいの小さ目の自然石粒７を落下するために供される。ホッパー４（４’）への自然石粒７の供給は、地上レベルの供給口４０から行え、同ホッパー４（４’）の下端流出口４１は、ベルトコンベアー２上の屋根材１（上端部１０）から１５ｃｍぐらい上方の位置となるように固定する。
【００２１】
固定式のガード体５と可動式のガード体６を前記ホッパー４の下部に設置する。但し、両側面部１１、１２の形状・大きさなどの必要に応じ、固定式のガード体５だけで実施したり、或いは可動式のガード体６だけで実施する形態も採用可能である。
【００２２】
固定式ガード体５は、鋼板製で長手方向の長さが約１ｍ、高さが約７０〜８０ｃｍの矩形状に形成されている。図２に例示したように、垂直下向き方向の状態を維持し、且つベルトコンベアー２に載置される屋根材１の右側面部１２の外方に、約１０ｍｍぐらいの間隔をあけて配置する（図３参照）。但し、この間隔は、自然石粒７の大きさ・形状等により決せられる。当該固定式ガード体５と右側面部１２との間で、ホッパー４から落下された自然石粒７…が集合可能な集合スペースＳを形成するためである。
【００２３】
また、この固定式のガード体５は、請求項４の発明のように、垂直な垂直面部５１と同垂直面部５１の上方外方に折曲して連続する傾斜面部５２とで形成するのが好ましい（図３、図２参照）。前記垂直面部５１の下端部５０は、外方に若干折曲され、図３に拡大して示したように、ベルトコンベアー２の上面にぎりぎり接しないほどの高さ位置で架台３に固定する。集合スペースＳ内に堆積する自然石粒７の流出を可及的に防止するためである。
【００２４】
可動式ガード体６も、鋼板製で長手方向の長さが約１ｍ、高さが約７０〜８０ｃｍの矩形状に形成し、傾斜角度が可変自在に構成する。図２に例示したように、当該可動式ガード体６の下端部６０を、屋根材１の他方の側面部１１の表面の所望位置に臨ませ、自然石粒７が滑落して集合可能な集合スペースＳ’を形成し角度調整可能に構成する。屋根材１の左側面部１１の寸法・形状に応じて適宜対応できるようにするためである。図２の図示例では、この可動式ガード体６の上端部６１が架台に設置された回転軸３１に取り付けられ、同回転軸３１のハンドル３２を回転することによって、ガード体６の傾斜角度を変更できる構成となっている。
【００２５】
また、ホッパー４の下部中央には、網状に形成された均し部材９を、コンベアー２上の屋根材１の上面部１０より若干高い位置を維持して設置する形態が好ましい（請求項６）。後述するようにコンベアー２で移動する屋根材１の上面部１０にホッパー４から落下した自然石粒７の表面を、当該均し部材９で押圧しながら均すためである。
【００２６】
以下、屋根材１の両側面部１１、１２と上面部１０の表面に自然石粒７を接着する作業工程について説明する。
【００２７】
図１は、本実施形態のコンベアーラインの主要な作業工程を示している。同図中、矢印ａで示した右側から矢印ｂで示した左側へのライン上の流れ作業として実施される。当該ベルトコンベアー２は、６ｍ／分の速度で移動するのが好ましい。図中符号２０はベルトコンベアー２の回転軸、符号３０は外枠、符号２’は反転装置付きのチェンコンベアーをそれぞれ示している。
【００２８】
前記した鋼板製屋根材１は、図１の矢印ａの前段階で、ベルトコンベアー２の上に、左右の側面部１１、１２で起立させ、上面部１０が上向き状態となるように、長手方向にコンベアー２の上に載置する（図２参照）。そして、当該屋根材１は、最終工程に至るまで、そのような左右側面部１１、１２が起立し、上面部１０が上向きの状態のままで施工する。
【００２９】
前記のようにベルトコンベアー２の上に載置された屋根材１の上面部１０及び側面部１１、１２の表面に、ウレタン系樹脂やアクリル系樹脂等の接着剤８をスプレー塗布し、乾燥させる（図示は省略）。
【００３０】
しかる後、図１中、矢印ａの方向からコンベアー２で移動された屋根材１は、最初のホッパー４の下へと移動し、ホッパー４から自然石粒７を落下する（図２参照）。このとき、自然石粒７の種類に応じて、ホッパー４からの落下速度を調整する。ホッパー４の下端流出口４１から落下した自然石粒７は、屋根材１の上面部１０に落ち、接着剤８が塗布された当該上面部１０に接着する。その上面部１０上に接着して盛り上がった自然石粒７の上面は、移動しながらホッパー４の下部中央の網状均し部材９によって所定高さに削り取られるが、均し部材９が網状なので多少の自然石粒７が適度に抜けて抵抗が少なく、効率よくきれいに均すことができる。
【００３１】
また、ホッパー４からは、自然石粒７を左右の前記左右のガード体５、６の内側面に落下させ、屋根材１の左右側面部１１、１２に接着させる。
【００３２】
すなわち、右側の固定式ガード体５においては、図３に拡大して示したように、落下した自然石粒７は、まず当該ガード体５の傾斜面部５２に落下させて同傾斜面部５２を滑落させる。つづいてガード体５の垂直面部５１で仕切られた集合スペースＳに自然石粒７を落とし込み（同図中の矢印参照）、同集合スペースＳ内で堆積させると、同集合スペースＳ内の自然石粒７は、ガード体５（垂直面部５１）によって右側面部１２の方向へ押さえ付けられながら、移動する右側面部１２の全範囲にきれいに接着される。
【００３３】
一方、左側の可動式ガード体６においては、左側面部１１の種々の寸法・形状に応じ、予め傾斜角度が決定された左側面部１１と、当該可動式ガード体とで形成された集合スペースＳ’に、ホッパー４から落下した自然石粒７が滑落して集合する（図２参照）。よって、自然石粒７は、移動する当該左側面部１１の所望範囲、例えば穴１３を除く上方の範囲に接着する。
【００３４】
前記のようにして最初のホッパー４により、比較的大粒の自然石粒７を落下させ接着した屋根材１は、さらにベルトコンベアー２上を進み、次のホッパー４’により、比較的小粒の自然石粒７を落下させ、それが前記大粒の自然石粒７の隙間を埋めるようにして接着する（図１）。その接着要領は、ガード体５、６を利用する上述の実施形態と全く同じである。
【００３５】
かくして、屋根材１の上面部１０と左右の側面部１１、１２に、自然石粒７…が隈なく均一に接着され、図１の左方向へ移動した屋根材１は、矢印ｂの先に更に移動し、図示を省略した最終的な仕上げ作業を行い、図４に示したような自然石調の屋根材１が簡便かつ確実に施工される。
【００３６】
自然石粒７の表面が接着された屋根材１の両側面部１１、１２には、ビス取り付け用の穴１３…が予め所定個所に複数穿設されているから、屋根の施工（野地板への取付け）の際に、この穴１３を利用して、簡単かつ確実にビスを打ち込むことができる。従来のようにこのような穴１３を予め穿設せず、屋根材１の両側面部１１、１２に直にビスを打ち込もうとすると、当該両側面部１１、１２の表面に接着した自然石粒７によって、ビスの取り付け位置が分らず、打ち込み時に滑って危険であり、強い打ち込み力も必要である。しかし、このように予めビス取り付け用の穴１３…を穿設しておくことによって、上記要領で両側面部１１、１２に自然石粒７を接着した後、そのまま当該屋根材１を簡便に屋根に取り付けることができる。
【００３７】
なお、請求項５の発明のように、上述した固定式のガード体５や可動式のガード体６を、ベルトコンベアー２の上面に直接取り付けて、屋根材１の両側面部１１、１２に自然石粒７を接着する実施形態を採用することも可能である（図示は省略）。
【００３８】
【発明の効果】
請求項１〜３記載の発明の屋根材又は壁材への自然石粒等の接着方法によれば、両側面部から各々所定間隔をあけた外方位置又は側面部表面の所望位置に、板状のガード体を垂直又は傾斜状態で配置させて集合スペースを形成し、その集合スペースより内方に上方から化粧用の自然石粒を落下させるので、屋根材等の上面部及び両側面部の表面への自然石粒の接着を簡便かつ確実にきれいに行え、作業性、合理性に優れて高品質な天然石調の屋根材や壁材の製造に寄与する。
【００３９】
また、鋼板製屋根材等の上面部が上向き状態のままで、両側面部への自然石粒等の接着剤の塗布作業を行えるので、コンベアーライン上で屋根材等を回転させ支持させながら各側面部に自然石等の粒状体を固定化するといった従来の煩わしい作業は一切不要であり、両側面部への自然石粒の接着を楽に行える作業性に優れている。
【００４０】
請求項４記載の発明の屋根材又は壁材への自然石粒等の接着方法によれば、自然石粒は、まず固定式ガード体の傾斜面部に落下させて同傾斜面部を滑落し、つづいて垂直面部で仕切られた集合スペースに落ちて堆積するので、側面部への自然石粒の接着を過不足なく行えると共に、自然石粒が不意に上面部の方に落下して接着する無駄が防止され、合理的な自然石粒の接着が達成される。
【００４１】
請求項５記載の発明の屋根材又は壁材への自然石粒等の接着方法によれば、ガード体をコンベアー自体に取り付け、ガード体で仕切って形成した集合スペースに自然石粒を落下させるので、やはり前記発明と同様に、屋根材又は壁材の上面部及び両側面部の表面への自然石粒の接着を簡便かつ確実にきれいに行え、作業性、合理性に優れて高品質な屋根材等の製造に寄与する。
【００４２】
請求項６記載の発明の屋根材又は壁材への自然石粒等の接着方法によれば、ホッパーの下部に網状の均し部材を所定高さを維持して設置し、コンベアーで移動する屋根材又は壁材の上面部にホッパーから落下した自然石粒の表面を、網状の均し部材で適度に押圧しながら均すので、無理なく上面部が自然石粒できれいに均された屋根材等が実現される。
【００４３】
請求項７記載の発明の屋根材又は壁材への自然石粒等の接着方法によれば、自然石粒の代わりに合成樹脂製のリシンを屋根材又は壁材の側面部と上面部に接着するので、自然石粒と同様の天然石調の屋根材等が効率よく製造される。
【００４４】
請求項８記載の発明の屋根材又は壁材への自然石粒等の接着方法によれば、屋根材等の両側面部に、ビス取り付け用の穴を所定間隔あけて予め穿設してあるので、特に屋根の施工に際し、右側面部においては、取り付けビスの位置を測らなくても分り施工性がよい。また、ビスの打ち込み時に滑る危険性が防止され安全である上、自然石粒の上から鋼板製の屋根材を打ち込む必要がなく、ビスの打ち込み力が半減され楽に屋根に取り付けられる。一方、左側面部においては、野地板へのビスの打ち込み位置が分って便利である。また、やはりビスの打ち込み時に滑る危険性が防止され、更に隠れる部分であるこの左側面部でのビスの打ち込みを省略する手抜き施工も効果的に防止され、品質の高い自然石調の屋根の施工に貢献する。
【図面の簡単な説明】
【図１】本屋根材又は壁材への自然石粒等の接着方法におけるコンベアーラインの主要な作業工程を簡略して示した説明図である。
【図２】屋根材の上面部及び側面部への自然石粒の接着要領を示した一部省略の正面図である。
【図３】屋根材の右側面部における自然石粒の落下及び接着要領を拡大して示した説明図である。
【図４】自然石粒を接着した屋根材を示した斜視図である。
【符号の説明】
１        屋根材
１０        上面部
１１        左側面部
１２        右側面部
１３        穴
２            コンベアー
３            架台
４            ホッパー
５            ガード体（固定式）
５０        下端部
５１        垂直面部
５２        傾斜面部
６            ガード体（可動式）
６０        下端部
７            自然石粒
８            接着剤
９            均し部材
Ｓ、Ｓ’集合スペース
【図１】
0003608082.tif 000002
【図２】
0003608082.tif 000003
【図３】
0003608082.tif 000004
【図４】
0003608082.tif 000005